【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
第１のページと、第２のページとを表示する表示装置であって、
前記第１のページに含まれるオブジェクトと、前記第１のページとは異なる第２のページに含まれるオブジェクトとを比較することで、第１のページのレイアウトと前記第２のページのレイアウトとが類似するか否かを判定する判定手段と、
ユーザによって設定された表示領域に基づいて前記第１のページを画面に表示する表示手段と、を備え、
前記表示手段は、前記判定手段によって前記第１のページのレイアウトと前記第２のページのレイアウトとが類似すると判定された場合、第２のページを、前記設定された表示領域に基づいて前記画面に表示する
ことを特徴とする表示装置。
【請求項２】
前記判定手段は、前記第１のページに含まれるオブジェクトの前記第１のページ内の配置と、前記第２のページに含まれるオブジェクトの前記第２のページ内の配置とを比較することで、前記判定を行う
ことを特徴とする請求項１に記載の表示装置。
【請求項３】
前記配置の比較とは、前記第１のページに含まれるオブジェクトが前記第１のページ内に配置される領域と、前記第２のページに含まれるオブジェクトが前記第２のページ内に配置される領域との重なりの度合いを求めることである
ことを特徴とする請求項２に記載の表示装置。
【請求項４】
前記判定手段は、
前記重なりの度合いが閾値を超えた場合に、前記第１のページのレイアウトと、前記第２のページのレイアウトとが類似すると判定し、
前記重なりの度合いが閾値を超えない場合に、前記第１のページのレイアウトと、前記第２のページのレイアウトとが類似すると判定しない
ことを特徴とする請求項３に記載の表示装置。
【請求項５】
前記第１のページは複数のオブジェクトを含み、
前記第２のページは複数のオブジェクトを含み、
前記判定手段は、前記第１のページに含まれる各オブジェクトと、前記第２のページに含まれる各オブジェクトとを比較することで、前記判定を行う
ことを特徴とする請求項１〜４のいずれか１項に記載の表示装置。
【請求項６】
前記表示領域は、ページが前記画面に表示される倍率に基づいて設定される
ことを特徴とする請求項１〜５のいずれか１項に記載の表示装置。
【請求項７】
前記表示領域は、ユーザ指示に基づくページのスクローリングおよびスケーリングによって設定される
ことを特徴とする請求項１〜６のいずれか１項に記載の表示装置。
【請求項８】
前記スクローリングは、ユーザによるスワイプ操作によってなされ、
前記スケーリングは、ユーザによるピンチアウト操作あるいはピンチイン操作によってなされる
ことを特徴とする請求項７に記載の表示装置。
【請求項９】
前記オブジェクトは、ページ内の一部の領域の画像である
ことを特徴とする請求項１〜８のいずれか１項に記載の表示装置。
【請求項１０】
前記オブジェクトは、前記表示手段が、当該オブジェクトを含むページを、ページ全体を表示するために用いられる表示倍率で前記画面に表示したならば、前記画面に表示される
ことを特徴とする請求項９に記載の表示装置。
【請求項１１】
前記表示手段は、前記判定手段によって前記第１のページのレイアウトと前記第２のページのレイアウトとが類似すると判定されない場合、前記第２のページの全体を前記画面に表示する
ことを特徴とする請求項１〜１０のいずれか１項に記載の表示装置。
【請求項１２】
前記第１のページは、複数のオブジェクトを含み、
前記第１のページに含まれる前記複数のオブジェクトの中から１つ以上のオブジェクトをユーザ指示に基づいて選択する選択手段を有し
前記判定手段は、前記第１のページに含まれる前記選択された１つ以上のオブジェクトと、前記第２のページに含まれるオブジェクトとを比較することで、前記判定を行う
ことを特徴とする請求項１〜１１のいずれか１項に記載の表示装置。
【請求項１３】
第１のページと、第２のページとを表示する表示システムであって、
前記第１のページに含まれるオブジェクトと、前記第１のページとは異なる第２のページに含まれるオブジェクトとを比較することで、前記第１のページのレイアウトと前記第２のページのレイアウトとが類似するか否かを判定する判定手段と、
前記第１のページの次に前記第２のページが表示手段の前記画面に表示される場合に、前記第２のページの表示態様を前記表示手段に制御させる制御手段と、
を有し、
前記判定手段によって前記第１のページのレイアウトと前記第２のページのレイアウトとが類似すると判定された場合に、前記制御手段は、ユーザによって設定された表示領域に基づいて前記第１のページを前記画面に表示している前記表示手段に、前記第１のページの次に表示される前記第２のページを、前記設定された表示領域に基づいて前記画面に表示させる
ことを特徴とする表示システム。
【請求項１４】
前記判定手段は、前記第１のページに含まれるオブジェクトの前記第１のページ内の配置と、前記第２のページに含まれるオブジェクトの前記第２のページ内の配置とを比較することで、前記判定を行う
ことを特徴とする請求項１３に記載の表示システム。
【請求項１５】
前記配置の比較とは、前記第１のページに含まれるオブジェクトが前記第１のページ内に配置される領域と、前記第２のページに含まれるオブジェクトが前記第２のページ内に配置される領域との重なりの度合いを求めることであり、
前記判定手段は、
前記重なりの度合いが閾値を超えた場合に、前記第１のページのレイアウトと、前記第２のページのレイアウトとが類似すると判定し、
前記重なりの度合いが閾値を超えない場合に、前記第１のページのレイアウトと、前記第２のページのレイアウトとが類似すると判定しない
ことを特徴とする請求項１４に記載の表示システム。
【請求項１６】
前記第１のページは複数のオブジェクトを含み、
前記第２のページは複数のオブジェクトを含み、
前記判定手段は、前記第１のページに含まれる各オブジェクトと、前記第２のページに含まれる各オブジェクトとを個々に比較することで、前記判定を行う
ことを特徴とする請求項１３〜１５のいずれか１項に記載の表示システム。
【請求項１７】
前記表示領域は、ユーザ指示に基づくページのスクローリングおよびスケーリングによって設定され、
前記スクローリングは、ユーザによるスワイプ操作によってなされ、
前記スケーリングは、ユーザによるピンチアウト操作あるいはピンチイン操作によってなされる
ことを特徴とする請求項１３〜１６のいずれか１項に記載の表示システム。
【請求項１８】
第１のページと、第２のページとを表示する表示装置の制御方法であって、
前記第１のページに含まれるオブジェクトと、前記第１のページとは異なる第２のページに含まれるオブジェクトとを比較することで、前記第１のページのレイアウトと前記第２のページのレイアウトとが類似するか否かを判定する判定工程と、
前記第１のページをユーザによって設定された表示領域で画面に表示する
前記判定工程で前記第１のページのレイアウトと前記第２のページのレイアウトとが類似すると判定された場合に、前記第２のページを、前記設定された表示領域に基づいて前記画面に表示する表示工程と、
を有する
ことを特徴とする表示装置の制御方法。
【請求項１９】
請求項１８に記載の制御方法をコンピュータにより実行させることを特徴とするプログラム。
【手続補正２】
【補正対象書類名】明細書
【補正対象項目名】００１０
【補正方法】変更
【補正の内容】
【００１０】
上記課題を解決するために、本発明の画像表示装置は、第１のページと、第２のページとを表示する表示装置であって、前記第１のページに含まれるオブジェクトと、前記第１のページとは異なる第２のページに含まれるオブジェクトとを比較することで、第１のページのレイアウトと前記第２のページのレイアウトとが類似するか否かを判定する判定手段と、ユーザによって設定された表示領域に基づいて前記第１のページを画面に表示する表示手段と、を備え、前記表示手段は、前記判定手段によって前記第１のページのレイアウトと前記第２のページのレイアウトとが類似すると判定された場合、第２のページを、前記設定された表示領域に基づいて前記画面に表示することを特徴とする。